(57)【特許請求の範囲】
【請求項１】
貫通したねじ穴を有する金属部材と、そのねじ穴に螺入したボルトの頭部との間の気密性を確保するためのガスシール構造であって、
金属部材及びボルトの頭部の互いの接合面のいずれか一方の接合面に、他方の接合面に線接触する断面形状の突条部を前記ねじ穴又はボルトと同心円状に有し、
金属部材へのボルトの締め込みにより前記突条部を他方の接合面に陥入状態にすると共に、前記突条部の全周にわたって金属部材の表面からボルトの頭部の表面にかけて連続した酸化膜を有することを特徴とするボルト締結部のガスシール構造。
【請求項２】
前記一方の接合面の突条部と他方の接合面とが、拡散接合してあることを特徴とする請求項１に記載のボルト締結部のガスシール構造。
【請求項３】
前記一方の接合面の突条部及び他方の接合面の少なくとも片方に、拡散接合を促進させる材料を設けたことを特徴とする請求項２に記載のボルト締結部のガスシール構造。
【請求項４】
前記金属部材の材料が、ステンレス若しくはインコネルであることを特徴とする請求項１〜３のいずれか１項に記載のボルト締結部のガスシール構造。
【請求項５】
請求項１〜４のいずれか１項に記載のボルト締結部のガスシール構造を有する固体酸化物型燃料電池であって、
平板状を成すセルユニットを複数積層したスタック構造体と、
スタック構造体の積層方向端部に配置したエンドプレートと、
スタック構造体及びエンドプレートを貫通するボルトを備えると共に、
貫通したねじ穴を有する金属部材が、上記エンドプレートであって、
エンドプレート及びボルトの頭部の互いの接合面のいずれか一方の接合面に、断面尖頭形状の突条部を前記ねじ穴及びボルトと同心円状に有し、
エンドプレートへのボルトの締め込みにより前記突条部を他方の接合面に陥入状態にすると共に、前記突条部の全周にわたってエンドプレートの表面からボルトの頭部の表面にかけて連続した酸化膜を有することを特徴とする固体酸化物型燃料電池。
【発明の詳細な説明】
【技術分野】
【０００１】
本発明は、金属部材とこれに締結したボルトにおいて、金属部材とボルトの頭部との間の気密性を確保するのに用いられるボルト締結部のガスシール構造、及びそのガスシール構造を有する固体酸化物型燃料電池に関するものである。
【背景技術】
【０００２】
この種のシール構造としては、例えば、特許文献１に記載されているものがあった。特許文献１に記載の技術は、スタッドボルトとして用いる溶接ボルトに関するものであり、頭部の座面に、ねじ軸部を中心とする環状突条が設けてある。このボルトは、基板の取付孔に通して頭部を基板にプロジェクション溶接する際に、環状突条を基板に食い込ませることによって漏水を防ぐものとなっている。
【先行技術文献】
【特許文献】
【０００３】
【特許文献１】特開平８−１４２３３号公報
【発明の概要】
【発明が解決しようとする課題】
【０００４】
ところが、上記したような従来のシール構造は、漏水防止すなわち水密性能を目的としたものであるから、さらに高レベルのシーリングが要求される気密構造（ガスシール構造）にそのまま適用することは困難である。そこで、従来のシール構造をガスシール構造に適用するには、ガスケットやワッシャなどのシーリング部材の使用が考えられるが、その分部品点数が増加するうえに、高温環境下で使用する機器においては、シーリング部材の緩みや劣化を免れないという問題点があり、このような問題点を解決することが課題であった。
【０００５】
本発明は、上記従来の状況に鑑みて成されたもので、シーリング部材を用いずに充分な気密性能を確保することができるボルト締結部のガスシール構造を提供することを目的としている。また、上記のガスシール構造を有する固体酸化物型燃料電池を提供することを目的としている。
【課題を解決するための手段】
【０００６】
本発明のボルト締結部のガスシール構造は、貫通したねじ穴を有する金属部材と、そのねじ穴に螺入したボルトの頭部との間の気密性を確保するための構造である。このガスシール構造では、金属部材及びボルトの頭部の互いの接合面のいずれか一方の接合面に、他方の接合面に線接触する断面形状の突条部を前記ねじ穴及びボルトと同心円状に有している。
【０００７】
そして、ガスシール構造は、金属部材へのボルトの締め込みにより前記突条部を他方の接合面に陥入状態にすると共に、前記突条部の全周にわたって金属部材の表面からボルトの頭部の表面にかけて連続した酸化膜を有する構成としており、上記構成をもって従来の課題を解決するための手段としている。
【０００８】
また、本発明の固体酸化物型燃料電池は、上記のベルト締結部のガスシール構造を有するものであって、平板状を成す単セルを複数積層したスタック構造体と、スタック構造体の積層方向端部に配置したエンドプレートと、スタック構造体及びエンドプレートを貫通するボルトを備えている。このとき、貫通したねじ穴を有する金属部材が、上記のエンドプレートであって、エンドプレート及びボルトの頭部の互いの接合面のいずれか一方の接合面に、他方の接合面に線接触する断面形状の突条部を前記ねじ穴又はボルトと同心円状に有している。
【０００９】
そして、固体酸化物型燃料電池は、エンドプレートへのボルトの締め込みにより前記突条部を他方の接合面に陥入状態にすると共に、前記突条部の全周にわたってエンドプレートの表面からボルトの頭部の表面にかけて連続した酸化膜を有することを特徴としている。
【発明の効果】
【００１０】
本発明のボルト締結部のガスシール構造によれば、ガスケットやワッシャなどのシーリング部材を用いずに、充分な気密性能を確保することができる。これにより、部品点数の削減や低コスト化を実現すると共に、高温環境下で使用する機器にも適用可能である。
【００１１】
また、本発明の固体酸化物型燃料電池によれば、ガスケットやワッシャなどのシーリング部材を用いずに、エンドプレートとボルトとの締結部における充分な気密性能を確保することができ、とくに、漏れ易い性質である水素ガスに対する確実なシーリング機能を得ることができる。
【図面の簡単な説明】
【００１２】
【図１】本発明に係るボルト締結部のガスシール構造の一実施形態を説明する断面図である。
【図２】ボルトの突条部と金属部材との界面を説明する断面図（Ａ）、酸化膜が形成された状態を説明する断面図（Ｂ）、及び拡散接合した状態を説明する断面図（Ｃ）である。
【図３】ボルト及び金属部材の加熱処理を説明する断面図である。
【図４】図１に示すガスシール構造を有する固体電解型燃料電池を説明する断面図である。
【図５】本発明に係るボルト締結部のガスシール構造の他の実施形態を説明する断面図である。
【図６】発明に係るボルト締結部のガスシール構造のさらに他の実施形態を説明する断面図である。
【図７】発明に係るボルト締結部のガスシール構造のさらに他の実施形態を説明する断面図である。
【発明を実施するための形態】
【００１３】
図１〜図３は、本発明に係るボルト締結部のガスシール構造の一実施形態を説明する図である。
【００１４】
図１に示すガスシール構造は、貫通したねじ穴１Ａを有する金属部材１と、そのねじ穴１Ａに螺入したボルト２の頭部２Ａとの間の気密性を確保するための構造である。図示例の金属部材１は、一例として、２２％のＣｒを含有するフェライト系ステンレスを材料とし、平板状であると共に、その表裏に開口したねじ穴１Ａを有している。また、ボルト２は、一例として、Ｍ８規格であると共に、インコネル７１８を材料とし、六角形の頭部２Ａと、おねじを形成した軸部２Ｂとを有している。
【００１５】
ガスシール構造は、金属部材１及びボルト２の頭部２Ａの互いの接合面のいずれか一方の接合面に、他方の接合面に線接触する断面形状の突条部を前記ねじ穴１Ａ又はボルト２と同心円状に有している。この実施形態では、ボルト２の頭部２Ａの接合面（座面）に、金属部材１の接合面に線接触する断面形状の突条部２Ｃが、当該ボルト２と同心円状に形成してある。このとき、突条部２Ｃは、例えば、直径が１２ｍｍである。
【００１６】
図示例の突条部２Ｃは、例えば、幅０．６ｍｍで、高さ０．３ｍｍの断面二等辺三角形状であると共に、全体にわたって均一な高さを有している。このような突条部２Ｃは、切削加工やプレス加工によりボルト２の製造と同時に形成することができる。したがって、ボルト２のコスト増になる心配はない。
【００１７】
なお、突条部２Ｃは，ボルト２の材料がインコネル７１８である場合は、切削加工で形成することができ、ボルト２の材料が耐熱性ステンレスである場合は、プレス加工で形成することができる。また、突条部２Ｃの断面形状は、二等辺三角形以外の三角形状、半円形状、あるいは半円をさらに半分にした形状等にすることができ、いずれにしても相手側の接合面に線接触する断面形状であれば良い。
【００１８】
さらに、ガスシール構造は、金属部材１へのボルト２の締め込みにより、図２（Ａ）に示すように、前記突条部２Ｃを金属部材１の接合面に陥入状態にする。この実施形態では、ボルト２の締め込み時の頭部面圧を１ＭＮにした。そして、ガスシール構造は、図２（Ｂ）に示すように、金属部材１の表面からボルト２の頭部の表面にかけて連続した酸化膜３を有するものとなっている。
【００１９】
より詳しく説明すると、金属部材１のねじ穴１Ａにボルト２を締め込む最終段階において、ボルト２の頭部２Ａの突条部２Ｃが、滑りながら金属部材１の接合面に食い込むこととなる。このとき、突条部２Ｃは、相手側に線接触する断面尖頭形状であるため、金属部材１に対する圧迫圧力は非常に高く、２２％Ｃｒ含有ステンレスやインコネルなどのように比較的硬い材料でも、滑らせながら食い込ませることができる。これにより、ステンレス製である金属部材１の酸化膜が破壊され、図２（Ａ）に示すように、ミクロな隙間が消滅してガスシール面４が形成される。また、酸化膜の破壊により、ガスシール面４は、後述する拡散接合をし易い界面となる。
【００２０】
その後、図３に示すように、ヒータ１１を備えた電気炉１２内に、金属部材１及びボルト２をセットし、同電気炉１２に酸素を含有するガスとして空気を導入し、この雰囲気中で８００℃程度まで昇温する。これにより、図２（Ｂ）に示すように、金属部材１の表面からボルト２の頭部の表面にかけて連続した酸化膜３が形成される。金属が酸化する場合には、表面の金属の体積が膨張しながら拡散が生じるので、非常に薄い酸化膜３が連続して形成される。この酸化膜３により、母材内部の保護性能とボルト締結部の気密性能（ガスシール性能）が得られる。
【００２１】
また、当該ボルト締結部のガスシール構造は、金属部材の取付孔にボルトを貫通させた従来構造に対して、金属部材１にねじ穴１Ａを設け、このねじ穴１Ａにボルト２を螺入貫通させている。したがって、金属部材１とボルト２だけで互いの締結を完成することができ、金属部材１に突条部２Ｃを陥入させた加圧状態を維持している。
【００２２】
そこで、当該ボルト締結部のガスシール構造では、上記の加圧状態を維持しつつさらに加熱することにより、図２（Ｃ）に示すように、一方の接合面としての頭部２Ａの突条部２Ｃと、他方の接合面としての金属部材１の接合面とを拡散接合させて、拡散層５を形成する。この際、より好ましい実施形態として、頭部２Ａの突条部２Ｃ及び金属部材１の接合面の少なくとも片方に、拡散接合を促進させる材料を設けることができる。この拡散接合を促進させる材料としては、ＡｇやＮｉ合金等が用いられる。
【００２３】
上記の拡散接合により、金属部材１とボルト２の頭部２Ａとは、実質的に一体化したものとなり、先述の酸化膜３と相俟って極めて高い気密性能を得ることができるうえに、ボルト２の緩みを阻止して、固定強度を高めることができる。
【００２４】
このように、上記実施形態のボルト締結部のガスシール構造によれば、ガスケットやワッシャなどのシーリング部材を全く用いずに、充分な気密性能を確保することができる。また、シーリング部材が不要であるから、部品点数の削減や低コスト化を実現することができると共に、シーリング部材の緩みや劣化を考慮する必要も無いので、高温環境下で使用する機器にも適用可能である。
【００２５】
また、上記のボルト締結部のガスシール構造は、ボルト２の頭部２Ａの突条部２Ｃと金属部材１の接合面とを拡散接合したことから、より確実なガスシール性能を達成することができ、この際、拡散接合を促進させる材料を用いることで、拡散層５を短時間で形成することができ、ボルト締結部の製造効率の向上などに貢献することができる。
【００２６】
さらに、上記のボルト締結部のガスシール構造は、金属部材１の材料として、ステンレス若しくはインコネルを用いることで、耐熱性の高いボルト締結部を得ることができると共に、酸化膜３を形成し易くなり、母材内部の保護性能や気密性能のさらなる向上に貢献することができる。
【００２７】
図４は、上記したボルト締結部のガスシール構造を有する固体酸化物型燃料電池の一実施形態を説明する図である。
【００２８】
図示の固体酸化物型燃料電池ＦＳは、平板状を成すセルユニットＣを複数積層したスタック構造体Ｓと、スタック構造体Ｓの積層方向両端部に配置したエンドプレートＥ１，Ｅ２と、スタック構造体Ｓ及びエンドプレートＥ１，Ｅ２を貫通するボルト２を備えている。
【００２９】
セルユニットＣは、電解質層を燃料極層と空気極層で挟んだ構造を有する単セルと、この単セルの燃料極層との間にガス流路を形成するセパレータを備え、互いに隙間を介して多段に積層されてスタック構造体Ｓを構成する。なお、燃料極層側のみにセパレータを備えた構成では、空気極層がユニット外部に露出している。
【００３０】
そして、固体酸化物型燃料電池ＦＳは、スタック構造体Ｓの両端部にエンドプレートＥ１，Ｅ２を配置したのち、これらの中心線上にボルト２を貫通させ、同ボルト２の軸部２Ｂの先端に、ワッシャを兼用する絶縁部材６を介してナット７を螺着し、スタック構造体Ｓを積層方向に加圧した状態を維持している。
【００３１】
このとき、固体酸化物型燃料電池ＦＳは、その中心線上にアノードガスの流通路Ｇが形成してある。また、ナット７を配置した側（図４中で上側）のエンドプレートＥ２及び絶縁部材６には、ガス供給孔ＨＡを有し、ボルト２の頭部２Ａ側のエンドプレートＥ１には、ガス排出孔ＨＢを有している。したがって、前記ボルト２は、アノードガスの流通路Ｇの中心線上に配置してある。なお、ガス供給孔ＨＡとガス排出孔ＨＢは、逆の位置関係であっても良い。
【００３２】
上記の固体酸化物型燃料電池ＦＳは、図示しないケースに収容され、ガス供給孔ＨＡから流通路Ｇを通して、各セルユニットＣの内部の燃料極層にアノードガス（水素ガス）を供給する。また、ケース内にカソードガス（空気）を導入して、この空気を各セルユニットＣの外部の空気極層に供給する。これにより、各セルユニットＣにおいて、電気化学反応により電気エネルギを発生する。
【００３３】
上記の固体酸化物型燃料電池ＦＳにおいて、ボルト締結部のガスシール構造は、図４中で下側となる一方のエンドプレートＥ１とボルト２の頭部２Ａとの間に適用する。すなわち、図１に示す貫通したねじ穴を有する金属部材が、上記エンドプレートＥ１であって、ボルト２が螺合するねじ穴１Ａを有している。
【００３４】
また、エンドプレートＥ１及びボルト２の頭部２Ａの互いの接合面のいずれか一方の接合面に、他方の接合面に線接触する断面形状の突条部を前記ねじ穴１Ａ又はボルト２と同心円状に有している。さらに、エンドプレートＥ１へのボルト２の締め込みにより、図２（Ａ）に示すように、前記突条部をエンドプレートＥ１の接合面に陥入状態にする。そして、図２（Ｂ）に示すように、エンドプレートＥ１の表面からボルト２の頭部２Ａの表面にかけて連続した酸化膜を有するものとなっている。
【００３５】
ここで、上記の固体酸化物型燃料電池ＦＳでは、製造過程において、図３に示す電気炉１２により酸化膜（３）や拡散層（５）を形成することも可能であるが、組立て後において、運転時に発生する熱により酸化膜（３）及び拡散層（５）を形成し得る。
【００３６】
すなわち、固体酸化物型燃料電池ＦＳは、その運転温度が６００〜８００℃である。この運転温度は、耐熱金属を用いた拡散接合の一般的な接合温度よりも低温ではあるが、エンドプレートＥ１とボルト２との締結部には、締め込みによる高圧と運転時の高熱が付与される。これにより、図２（Ｃ）に示すように、エンドプレート（金属部材１）Ｅ１とボルト２の突条部２Ｃとの界面に拡散層５が形成され、最終的に双方が接合される。
【００３７】
ところで、上記したような固体酸化物型燃料電池ＦＳにおいて、ボルト締結部のガスシール構造としては、例えば、硬度が低いＣｕ，Ａｇ，Ａｌ等で作製したワッシャや、厚さ方向に柔軟性を有し且つインコネル製で作製したガスケットなどのシーリング部材を用いることが考えられる。また、エンドプレートＥ１とボルト２の頭部２Ａとを溶接することも考えられる。
【００３８】
ところが、固体酸化物型燃料電池ＦＳは、高温酸化雰囲気や水蒸気を含有する水素ガスが多量に存在する環境で用いられるうえに、熱サイクルが繰り返されるので、シーリング部材が次第に劣化し、ガスリークやボルト２の緩みが発生する虞がある。さらに、溶接による場合には、溶接部の金属結晶構造が崩れるため、高温動作時の耐久性が低下する虞がある。とくに、アノードガスである水素ガスは、分子半径が小さいために漏れ易い。
【００３９】
これに対して、上記の固体酸化物型燃料電池ＦＳは、エンドプレートＥ１とボルト２の頭部２Ａとの間において、ガスケットやワッシャなどのシーリング部材を全く用いずに、充分な気密性能を確保することができ、とくに、漏れ易い性質である水素ガスに対する確実なシーリング機能を得ることができる。また、シーリング部材が不要であるから、シーリング部材の緩みや劣化を心配する必要も無く、部品点数及び工数の削減や、製造コストの低減などを実現することができる。
【００４０】
さらに、上記の固体酸化物型燃料電池ＦＳでは、ボルト２の緩みが阻止されて、固定強度がより向上したものとなり、なお且つ、突条部による接合部分が細い線状であるので、拡散層５を破壊することにはなるがボルト２を緩めて分解することも可能であり、気密及び分解という相反する要求を満足するものとなる。
【００４１】
図５〜図７は、本発明に係るボルト締結部のガスシール構造の他の実施形態を示す図である。なお、以下の実施形態において、先の実施形態と同じ構成部位は、同一符号を付して詳細な説明を省略する。
【００４２】
図５に示すボルト締結部のガスシール構造は、金属部材１及びボルト２の頭部２Ａの互いの接合面のうち、金属部材１の接合面に、ボルト２の頭部（座面）２Ａに線接触する断面形状の突条部１Ｂが、ねじ穴１Ａと同心円状に設けてある。図示例の突条部１Ｂは、断面三角形状を成しており、ボルト２の六角形の頭部２Ａに対して、その六角形の内接円の直径よりも小さい直径である。
【００４３】
図６に示すボルト締結部のガスシール構造は、ボルト２が皿ねじ型であって、円錐状を成す頭部２Ａに、六角穴２Ｄを有している。これに対して、金属部材１は、ねじ穴１Ａの開放端に、ボルト２の頭部２Ａが入り込む座ぐり１Ｃを有している。この金属部材１は、座ぐり１Ｃの内周面（接合面）に段部を有しており、この段部が、ボルト２の頭部２Ａの円錐面（接合面）に線接触する断面形状の突条部１Ｂになっている。突条部１Ｂは、座ぐり１Ｃの内部全周にわたって形成してあり、ねじ穴１Ａと同心円状である。
【００４４】
図７に示すボルト締結部のガスシール構造は、ボルト２の頭部２Ａが、扁平な円柱状を成すとともに六角穴２Ｄを有している。また、この実施形態では、前記頭部２Ａの座面（接合面）における周縁部が、金属部材１の接合面に線接触する断面形状の突条部２Ｃである。突条部２Ｃは、ボルト２と同心円状である。これに対して、金属部材１は、ねじ穴１Ａの開放端に、ボルト２の頭部２Ａが入り込む座ぐり１Ｃを有している。この金属部材１は、座ぐり１Ｃの底面と内周面とのコーナー部に、接合面として全周にわたる傾斜面１Ｄを有しており、ボルト２の締め込みにより、傾斜面１Ｄにボルト２の突条部２Ｃが陥入する。
【００４５】
上記の各ガスシール構造は、先の実施形態と同様に、ボルト２の締め込みにより、金属部材１の突条部１Ｂがボルト２の頭部２Ａの座面（接合面）や円錐面（接合面）に陥入し、あるいはボルト２の頭部２Ａの突条部２Ｃが金属部材１の傾斜面（接合面）１Ｄに陥入する。そして、いずれのガスシール構造も、図２（Ｂ）に示すように、金属部材１の表面からボルト２の頭部２Ａの表面にかけて連続した酸化膜３を有するものとなり、さらに、双方の接合面同士を拡散接合して、図２（Ｃ）に示す如く拡散層５を形成する。
【００４６】
上記の各ガスシール構造にあっても、先の実施形態と同様に、シーリング部材を必要とせずに、充分な気密性能を得ることができる。また、いずれも図４に示すような固体酸化物型燃料電池ＦＳにおけるエンドプレートＥ１とボルト２の締結部に適用することができ、水素ガスに対する高いシーリング機能を得ることができ、固体酸化物型燃料電池ＦＳの生産性や信頼性の向上などに貢献することができる。
【００４７】
本発明に係るボルト締結部のガスシール構造は、その構成が上記各実施形態に限定されるものではなく、本発明の要旨を逸脱しない範囲において、構成部材の各部形状や材料などの構成の細部を適宜変更することが可能であり、例えば、金属部材及びボルトの頭部の双方に突条部を設けることも可能である。
【符号の説明】
【００４８】
１          金属部材
１Ａ        ねじ穴
１Ｂ        突条部
１Ｃ        座ぐり
１Ｄ        傾斜面
２          ボルト
２Ａ        頭部
２Ｂ        軸部
２Ｃ        突条部
２Ｄ        六角穴
３          酸化膜
４          ガスシール面
５          拡散層
６          絶縁部材
７          ナット
１１        ヒータ
１２        電気炉
Ｃ          セルユニット
Ｅ１        エンドプレート（金属部材）
Ｅ２        エンドプレート
ＦＳ        固体酸化物型燃料電池
Ｇ          ガスの流通路
ＨＡ        ガス供給孔（若しくはガス排出孔）
ＨＢ        ガス排出孔（若しくはガス供給孔）
Ｓ          スタック構造体
【図１】
0005904319.tif 000002
【図２】
0005904319.tif 000003
【図３】
0005904319.tif 000004
【図４】
0005904319.tif 000005
【図５】
0005904319.tif 000006
【図６】
0005904319.tif 000007
【図７】
0005904319.tif 000008